(57)【要約】
【課題】天板の大きさ、色、柄、質感等の異なる形態へ簡単に自由に交換できて、使用目的、好み等に良好に対応できるテーブルを提供することにある。
【解決手段】脚部１２に支持され直線状の２本のレール部材１４を備えたレール部１５を有する支持基体１６と、支持基体１６の上面側に設けられ、レール部に沿ってスライド係合される任意のスライド方向長さで形成された複数個の天板部材１８から構成される天板２０と、を備える。天板部材１８は、レール部１５に沿って移動させることにより支持基体１６から抜脱交換自在に設けられており、任意の組合せによりスライド方向長さと隣接組合せの異なる天板態様をとれる。
【選択図】図２
0003101417.tif 000002
【実用新案登録請求の範囲】
【請求項１】
脚部に支持され直線状の２本の平行レール部材を備えたレール部を有する支持基体と、
支持基体の上面側に設けられ、レール部に沿ってスライド係合される１個又は複数個の天板部材から構成される天板と、を備え、
天板部材は、任意の組合せによりスライド方向長さと隣接組合せの異なる天板態様をとれるようにレール部に沿って移動させることにより支持基体から抜脱交換自在に設けたことを特徴とするテーブル。
【請求項２】
天板部材は、その両端縁部が２本の平行レール部材にまたがり係合するように曲げられ、その曲げ部分のみでレール部材に対する天板部材の幅方向位置決めとスライド案内とを行なうように天板部材に一体的に形成されたレール受部を備えたことを特徴とする請求項１記載のテーブル。
【請求項３】
レール部材は断面円形状の棒体からなり、
天板部材のレール受部は、レール部材の外面に当接しながら該レール部材を巻き込んで内側方向に円弧状に曲げられて形成されたことを特徴とする請求項２記載のテーブル。
【請求項４】
レール受部は、レール部材の外面から該レール部材を巻き込んで内側方向に向けて曲げられて形成され、その延長先端部は、レール部材から離隔するように内向き斜め下方に向けて曲成させたクリップ受部を含む請求項２または３記載のテーブル。
【請求項５】
隣接する天板部材の下面側の突き合わせ部分付近には、それらの当接状態で凹部を形成するような切欠部が形成されており、
該凹部に嵌合する凸部が設けられた連結金具を介して天板部材同士が連結される請求項１ないし４のいずれかに記載のテーブル。
【請求項６】
支持基体には、天板部材のスライド移動を阻害しないような段下がり位置で他の天板部材を水平状に係止する係止部が設けられたことを特徴とする請求項１ないし５のいずれかに記載のテーブル。
【考案の詳細な説明】
【技術分野】
【０００１】
本考案は、例えば、設置する場所や、利用人数等、目的に応じて天板の大きさを含む天板態様を変更できるテーブルに関する。
【背景技術】
【０００２】
例えば、会議、作業、仕事、勉強、食事等に広く使用されているテーブルは、その使用目的に応じて、大きさ、柄、色等が選択されている。特に、昨今では、テーブルを含め、椅子や棚その他の家具等のデザインについても注目されており、使用目的に応じた大きさを選ぶのは当然のことながら、使用者の好みまたは室内環境全体の意匠感、調和等も考慮され、色、柄、質感等の選択についても重視されている。一方、従来より、スペースの大小等、使用目的に応じて天板の面積を変形できるテーブルが提案されており、例えば、実開昭５５−１１６５２７号公報に開示されている。この実開昭５５−１１６５２７号のテーブルは、２つに分割され下方に脚体を有する天板を、ストッパーを有するレールを介して連結し、両天板の下面側に架設された回転軸に２つ折りの補助板を支承させた構成であり、広い面積の天板を利用する際には、分割天板をレールに沿ってストッパー位置まで離隔させ、回転軸まわりに補助板を回転させて、両天板の間に展開した補助板を嵌め込むものであった。
【特許文献１】実開昭５５−１１６５２７号公報
【考案の開示】
【考案が解決しようとする課題】
【０００３】
しかしながら、実開昭５５−１１６５２７号のテーブルでは、天板に直接に脚体が設けられているので、天板同士を近接または離隔する際には、テーブル全体を持ち上げて操作しなければならないので、面倒でかつ労力がかかり、操作性が悪いものであった。さらに、天板そのものの見た目、例えば、色、柄、質感等を使用者の目的、好みに応じて容易に変更することができないとともに、天板は、製造時に設定された２段階の大きさだけしか設定することができず、多くの使用目的に対応することができなかった。また、天板とレールとを係合させるために、天板の下面側に受部材をとりつける必要があるので、部材点数が多くなるとともに天板の突き合わせ部分でガタが生じないように受部材とレールとを微妙に調整しておく必要があり、製造が煩雑でコストが高くつくものであった。さらに、テーブルクロスを掛けて見た目を良くしたり、天板の継ぎ目を隠したい場合にも、該テーブルクロスがテーブルに対してずれやすく見苦しくなりがちで、こまめにずれをなおす必要がある等の問題があった。
【０００４】
本考案は上記従来の課題に鑑みてなされたものであり、その一つの目的は、天板の大きさ、色、柄、質感等の異なる形態へ簡単に自由に交換できて、使用目的、好み等に良好に対応できるテーブルを提供することにある。さらに、他の目的は、簡単な構成で段差のない天板部材の組合せを実現できるテーブルを提供することにある。また、他の目的は、テーブルクロスをかけた際に、見栄えを損なうことなく確実に該テーブルクロスのずれを防止し得るテーブルを提供することにある。
【課題を解決するための手段】
【０００５】
上記課題を解決するために、本考案は、脚部１２に支持され直線状の２本の平行レール部材１４を備えたレール部１５を有する支持基体と、支持基体１６の上面側に設けられ、レール部に沿ってスライド係合される１個又は複数個の天板部材１８（１８ａ、１８ｂ、１８ｃ）から構成される天板２０（２０ａ）と、を備え、天板部材１８は、任意の組合せによりスライド方向長さと隣接組合せの異なる天板態様をとれるようにレール部１５に沿って移動させることにより支持基体１６から抜脱交換自在に設けたことを特徴とするテーブル１０から構成される。支持基体１６の大きさ、形状、材質は任意に設定される。レール部材１４の形状は、断面が、四角形、多角形、円形、長丸形等その他任意形状でもよい。レール部材１４同士の連結は、パイプ部材、板状部材等、又は脚部の構成のみでの連結等、その他任意の構成でもよい。脚部１２は、その高さは任意でよく、伸縮自在に高さを調整できるような構成でもよい。天板部材の付き合わせる辺は、スライド方向に対して直交なものに限らず、斜めに形成されたものでもよい。
【０００６】
また、天板部材１８（１８ａ，１８ｂ、１８ｃ）は、その両端縁部が２本の平行レール部材１４にまたがり係合するように曲げられ、その曲げ部分のみでレール部材に対する天板部材の幅方向位置決めとスライド案内とを行なうように天板部材に一体的に形成されたレール受部２６を備えたこととしてもよい。天板部材の一部を利用してレール受部２６を形成し、レール部材１４を支持基体１６の両端縁部に配置させて、抜脱交換可能なスライド構成を簡単に構成できる。レール受部２６は、天板部材１８の両端縁部を、例えば、円弧状、コ字状、Ｌ字状、く字状等その他任意形状に曲げて形成することとしてもよい。レール受部２６は、天板部材の両端縁部を曲げ加工して形成することとしてもよいし、型成形により一体的に形成することとしてもよい。
【０００７】
また、レール部材１４は断面円形状の棒体からなり、天板部材１８のレール受部は、レール部材１４の外面に当接しながら該レール部材１４を巻き込んで内側方向に円弧状に曲げられて形成されたこととしてもよい。
【０００８】
また、レール受部２６は、レール部材１４の外面から該レール部材１４を巻き込んで内側方向に向けて曲げられて形成され、その延長先端部は、レール部材１４から離隔するように内向き斜め下方に向けて曲成させたクリップ受部２８を含むこととしてもよい。
【０００９】
また、隣接する天板部材１８ａ、１８ｂ、１８ｃの下面側の突き合わせ部分付近には、それらの当接状態で凹部３８を形成するような切欠部（４０）が形成されており、該凹部に嵌合する凸部３６が設けられた連結金具３４を介して天板部材同士が連結されることとしてもよい。連結金具は、１個でも、複数個を間欠位置に配置させることとしてもよい。
【００１０】
また、支持基体１６には、天板部材（１８ａ、１８ｂ）のスライド移動を阻害しないような段下がり位置で他の天板部材１８ｃを水平状に係止する係止部４２が設けられたことを特徴とすることとしてもよい。係止部は、例えば、レール部材間に架設される、パイプ部材、板状部材、或は、レール部材から内側に向けて突出した受け片等、その他任意構成でもよい。係止部には、１個又は複数個の天板部材を係止させるようにしてもよい。係止部は、他の天板部材係止部に係止させた際に、横から見たときに、該他の天板部材がレール部材で隠れるような位置に設定しておくと、邪魔になりにくくまた見栄えも損ないにくい。
【考案の効果】
【００１１】
本考案のテーブルは、脚部に支持され直線状の２本の平行レール部材を備えたレール部を有する支持基体と、支持基体の上面側に設けられ、レール部に沿ってスライド係合される１個又は複数個の天板部材から構成される天板と、を備え、天板部材は、任意の組合せによりスライド方向長さと隣接組合せの異なる天板態様をとれるようにレール部に沿って移動させることにより支持基体から抜脱交換自在に設けた構成であるから、目的や好み等に応じて、天板のスライド方向長さ、色、柄、質感等の異なった天板態様への変更が自由に行えるともにそれらの天板部材のスライド移動や抜脱交換もスムーズに行える。特に、スライド方向の長さが同一又は異なる天板部材を多数用意しておくと、それらを任意に組合せて、略無段階に天板のスライド方向長さを設定でき、より広く目的や好みに対応した天板態様をとることができる。また、天板部材を抜脱交換できるので、例えば、ある木目の合板製の天板から、表面が他の木目調の合板を貼り合わせた態様の天板、或はポリカーボネート、ポリプロピレン等の合成樹脂、ガラス等その他の天板への交換など、目的、好み等に応じて自由に交換することができる。
【００１２】
また、天板部材は、その両端縁部が２本の平行レール部材にまたがり係合するように曲げられ，その曲げ部分のみでレール部材に対する天板部材の幅方向位置決めとスライド案内とを行なうように天板部材に一体的に形成されたレール受部を備えた構成とすることにより、天板部材に他の部材等をとりつけることなく、天板部材の一部加工によりレール部材を構成しているので、簡単な構成でレール受部を構成でき、かつ、操作性がよいスライド構成を実現できる。特に、天板部材をスライド方向に長く設けて、それを所要の長さで切断することで、所要のスライド長さのものを得るようにすると、異なるスライド方向長さの天板部材を同一の製造工程で簡単に製造することが可能で低コストを維持できるとともに、天板部材を突き合せた際に精度よく並列されてずれや隙間及びがた等がない良好な天板を得ることができる。
【００１３】
また、レール部材は断面円形状の棒体からなり、天板部材のレール受部は、レール部材の外面に当接しながら該レール部材を巻き込んで内側方向に円弧状に曲げられて形成された構成とすることにより、天板部材がスライド方向に交差する方向へずれることがなく、スムーズにレール部材に沿って移動させることができるとともに、天板部材の突き合せ状態で段差やがたが生じることがない。また、天板部材がレール部材からスライド方向に突出してレール部材に片持ち支持状に係合される場合にも、該天板部材がひっくり返るのを防止し安定して係合できる。テーブルの外縁が丸みをおびた形状となり見た目も良い。
【００１４】
また、レール受部は、レール部材の外面から該レール部材を巻き込んで内側方向に向けて曲げられて形成され、その延長先端部は、レール部材から離隔するように内向き斜め下方に向けて曲成させたクリップ受部を含む構成とすることにより、簡単な構造で、該テーブルクロスのずれを防止するためのクリップの受部を構成できると同時に、クリップ受部に挟んだクリップは、邪魔にならずかつ外側から見えにくい位置に配置されて見栄えを損ないにくい。
【００１５】
また、隣接する天板部材の下面側の突き合わせ部分付近には、それらの当接状態で凹部を形成するような切欠部が形成されており、該凹部に嵌合する凸部が設けられた連結金具を介して天板部材同士が連結される構成とすることにより、テーブルを使用する際に、不意に隣接する天板部材が離隔して天板に間隙が生じるのを防止できるとともに、連結する際に連結金具の位置決めが容易に行え、短時間で連結を行なえる。
【００１６】
また、支持基体には、天板部材のスライド移動を阻害しないような段下がり位置で他の天板部材を水平状に係止する係止部が設けられた構成とすることにより、レール部より抜脱させた他の天板部材を支持基体に係止させて収納性が良好であると同時に、必要の際にはすぐに取出して使用できるので使い勝手が良い。
【考案を実施するための最良の形態】
【００１７】
以下添付図面を参照しつつ本考案の実施の形態を説明する。本考案のテーブルは、脚部に支持された支持基体に設けられた直線状のレール部材に沿ってスライド係合する抜脱交換自在の天板部材を、任意の組合せでレール部材に沿って移動させることにより、スライド方向の長さ及び隣接組合せの異なる天板態様をとれるテーブルである。
【００１８】
図１ないし図７は本考案の第１実施形態を示している。図１、図２、図３に示すように、本実施形態のテーブル１０は、脚部１２に支持され２本の平行レール部材１４を備えたレール部１５を有する支持基体１６と、支持基体１６の上面側に設けられレール部１５に沿ってスライド係合される１個又は複数個の天板部材１８から構成される天板２０と、を有している。
【００１９】
脚部１２は、設置面からある程度の高さ、例えば、約７０〜８０ｃｍ程度の位置に支持基体１６を水平状に支持している。本実施形態において、脚部１２は、例えば、鉄、ステンレス、アルミ等の金属パイプをＸ状に組付けたものを１組有しており、互いに対向しながら離隔されて立設される。脚部１２の各パイプの下端側は、互いに外向きに水平方向に曲げられて、円盤状に広がった安定支持板２２が取付けられている。また、脚部１２のパイプの交点位置から斜め上方に補強杆２３が渡設されて、支持基体１６を支持している。
【００２０】
本実施形態では、支持基体１６は、図３、図４に示すように、例えば、２ｍ×１ｍ程度の平面視略横長矩形状に組付けられた枠体状に形成されており、その１対の外辺縁部位置（図４上では長辺側）に２本の直線状のレール部材１４が平行に配置され、各レール部材１４同士を連結するように連結部材２４が直交方向に架設されて、脚部１２の上端側に固定されている。レール部材１４は、２本１組でレール部１５を構成し、天板部材１８をスライド自在に係合させる。本実施形態では、レール部材１４は、例えば、鉄、ステンレス、アルミ、木、プラスチック等の比較的強度がある硬い材質から形成されており、断面が例えば、直径が３〜４ｃｍ程度の円形の中空または中実の真っ直ぐな丸棒体からなる。連結部材２４は、レール部材１４と同じ材質、例えば、鉄、ステンレス、アルミ、木、プラスチック等の比較的強度がある硬い材質でレール部材１４の外径と略同じ厚さの角材を組付けたものからなり、ねじ止め、溶接その他の固定手段でレール部材１４に固定されている。尚、支持基体１６は、レール部材１４と連結部材２４とを一体成型して形成してもよい。本実施形態において、支持基体１６のレール部材１４に沿った方向（スライド方向Ｘ）と直交する方向を幅方向Ｙとする。
【００２１】
図２、図４、図８に示すように、天板部材１８は、レール部材１４に沿ってスライド係合しながら１個でまたは複数個を並設させて支持基体１６の上面側に天板２０を構成するとともに、レール部１５に沿って移動して抜脱交換自在になっており、その組合せを任意にすることにより、スライド方向Ｘの長さと隣接組合せを異なった天板態様をとれるようになっている。天板部材１８は、例えば、ブナ、メープル等の木材の合板、ポリカーボネート、ポリプロピレン等の合成樹脂、ガラス、金属等その他の硬い材質からなり、平面視矩形状の約１〜２ｃｍ程度の厚さの板部材から形成されている。天板部材１８は、スライド方向Ｘに直交する対向両端縁部が天板２０を構成する際の突き合せ部分となり、互いに隙間無く当接するように設けられている。天板部材１８は、スライド方向に直行する幅方向の長さがレール部材１４の外面側の離隔幅と略同じ長さで設けられており、その両端縁部側にレール部材１４と係合するレール受部２６が一体的に形成されている。一方、天板部材１８のスライド方向の長さは、それぞれ任意の長さで設けられている。天板部材１８は、幅方向Ｙの長さが一定で、同じ又は異なるスライド方向長さのものを任意の個数で組合せながら、レール部材１４にスライド係合及び抜脱交換させることにより、隣接する天板部材の組合せを変更して、スライド方向Ｘの長さの異なった天板２０を自由に構成できる。
【００２２】
例えば、図１、図２において、２個の天板部材１８ａ，１８ｂは、スライド方向Ｘの長さが、レール部材の半分の長さ、例えば、約１ｍ程度に設定され、２個の天板部材の組合せにより天板２０を構成しており、レール部材と略同じ長さの天板のテーブルを形成している。例えば、その他の組合せとして、図８に示すように、天板部材１８ａ，１８ｂをレール部材に沿ってスライド移動または抜脱し、天板部材１８ａと天板部材１８ｂとの間に、例えば、スライド方向長さが約８０ｃｍの他の天板部材１８ｃを配置させてレール部材に係合させて、３個の天板部材１８ａ、１８ｂ、１８ｃによりスライド方向Ｘに拡張された天板２０ａを構成する。この際、両端側に配置された天板部材１８ａ、１８ｂは、レール部材１４からその方向に沿って外側に一部を突出させた片持ち支持状に支持される。天板の安定支持のために、天板部材１８ａ（１８ｂ）のレール部材との係合部分と突出部分とのバランスを考慮し、例えば、図８では、天板部材の少なくともスライド方向長さの半分程度をレール部材１４と係合させている。天板部材の組合せは上記したように任意でよく、例えば、図８のような天板部材が３個の場合に、中間に配置される他の天板部材１８ｃを１ｃｍずつ異ったものを用意しておくこととしてもよいし、４個以上の天板部材の組合せとしてもよい。さらに、複数個を組合せる場合に限らず、１個の天板部材のみで天板を構成することとしても良い。また、天板部材を抜脱交換できるので、例えば、上面にある木目を有する合板を積層して形成した天板から、上面に他の木目が形成された合板を積層した態様の天板への交換、或はポリカーボネート、ポリプロピレン等の合成樹脂、ガラス等その他の天板への交換など、色、柄、材質（質感）等の異なる天板部材を自在に組合せて、目的、好み等に応じて自由に交換することができる。これらの天板部材は、同種に限らず異種の柄、材質等のものを組合せてもよい。
【００２３】
本実施形態において、レール受部２６は、図５にも示すように、天板部材１８の幅方向Ｙの両端縁部の一部を２本のレール部材１４にまたがり係合するように曲げて一体的に形成されている。本実施形態では、レール受部２６は、レール部材１４上に天板部材１８が配置される状態で断面円形のレール部材１４の外面に当接しながら該レール部材１４を巻き込むように内側方向に円弧状に曲げられて、その先端側がレール部材の中心の真下辺りの位置まで延長されて形成されている。天板部材１８はそのレール受部２６の円弧内面側をレール部材１４の外面と当接しながらスライド係合し、他の部材等を介さず直接にレール部材１４と係合するとともにレール部材に対して幅方向に位置決めされる。すなわち、スライド構成としては、天板部材（天板）自体とレール部材１４のみでよい。これにより、構造が単純で簡単に製造でき、さらに、天板部材ががたつくことなくスムーズにスライド移動を行えるとともに天板部材の突き合わせ部分でも段差やずれが生じることがない。同時に、レール受部２６がレール部材１４を巻き込むように設けられているので、図８のように、天板部材１８ａ（１８ｂ）をレール部材１４から張り出した状態で係合させた態様でも、突出先端側に力が加わっても天板部材は回転することなく安定して支持される。また、レール受部が円弧状に形成されているので、テーブルの外縁が丸みをおびた形状で見た目良いテーブルを構成できる。
【００２４】
本実施形態では、レール受部２６の延長先端部にクリップ受部２８が形成されている。クリップ受部２８は、テーブルクロス３０をテーブルにかけた際に、テーブルに対して該テーブルクロスがずれるの防止するために挟みつけるクリップ３２の受部である。クリップ受部２８は、レール受部２６の先端部側を曲げて形成されており、天板部材１８の一部から構成されている。詳細には、クリップ受部２８は、支持基体１６（レール部材１４）の下側に延長されたレール受部２６の円弧先端側を水平方向からレール部材１４から離隔するように内側向き斜め下方に向けて曲げられて形成されており、クリップ３２を受ける隙間を形成して、下方側からクリップを挟みつけやすくなっている。このように設けられたクリップ受部２８に、テーブルクロス３０を挟みつけるクリップ３２を係合されることで、該クリップは、例えば、立っている人や椅子に腰掛けた人等からは、テーブルクロスのかかった天板に隠れて見えないので、見栄えを悪くさせることがないとともに、支持基体１６に近接した位置に配置されるので邪魔になりにくい。
【００２５】
図３、図７に示すように、隣接する天板部材１８同士は、連結金具３４を介して連結されている。連結金具３４は、矩形状の板材の中央部分に上に凸条の凸部３６が一体的に設けられて形成されており、隣接する天板部材１８ａ、１８ｂの下面側の突き合せ部分付近には、それらの当接状態で凹部３８を形成するようにＬ字段差切欠４０が設けられている。連結金具３４は、隣接する天板部材１８ａ、１８ｂの形成する凹部３８内に凸部３６が嵌合するように下から当てがわれた状態で、ねじ止めされて連結する。これにより、天板２０の構成時に天板部材１８同士が不意に離隔して隙間を生じることが無いとともに連結金具３４の位置決めが容易であり、簡単かつ短時間で連結できる。なお、連結金具３４は、必ずしも必要ではなく、必要に応じて天板部材同士を連結することとしても良い。
【００２６】
次に、本実施形態に係るテーブルの作用について説明する。例えば、図１において、同じ大きさの２個の天板部材１８ａ、１８ｂを各々のレール受部２６をレール部材１４に沿ってスライド係合させて、支持基体１６と略同じ大きさの天板２０を構成している。天板部材１８ａ、１８ｂは、図２、図４に示すように、レール部材１４の左右端部側から装着、抜脱自在であり、幅方向に位置決めされた状態でレール部材１４に沿って左右に自在にスライド係合する。これらの天板部材は、その一部分を曲げてレール受部２６を一体的に形成されており、レール部材１４と直接に係合しているので、構造が簡単で、天板部材をスムーズにスライド移動させることができるとともに、天板部材を突き合せた場合も段差やずれなく良好な精度の天板面を得ることができる。そして、例えば、使用する人数が増えた場合などには、前記天板部材１８ａ、１８ｂを離隔させて、レール部材１４に沿って移動させ、いずれか一方を（或は両方とも）完全に抜脱する。そして、予め用意しておいた他の天板部材１８ｃをレール部材１４にスライド係合させ、他の天板部材１８ｃの両側に天板部材１８ａ、１８ｂを一部分をレール部材１４外側に突出させながらレール部材１４に係合させる。これにより、天板部材１８ａ、１８ｃ、１８ｂの配列位置に変更し、上記のものよりもスライド方向長さが延長された天板２０ａを得ることができる（図８参照）。また、逆の手順により、他の天板部材１８ｃを抜脱して、再び上記の狭い天板２０の態様に変換できる。このように、支持基体１６のレール部材１４に沿って、任意に組合せた天板部材をスライド移動及び抜脱交換させながら、目的に応じた天板の態様を使用できる。上記の３個の天板部材の他にスライド方向の長さが同一又は異なる天板部材を多数用意しておくと、それらを任意に組合せて、２段階の変形に限らず、略無段階に天板のスライド方向長さを設定できる。さらに、これらの天板部材は、幅方向Ｙの長さが一定であるから、例えば、長い天板部材を所要長さに適宜切断して形成すればよく、長さの異なる多数の天板部材を同じ製造工程で簡単に製造することが可能であり、コストを低廉に維持できる。また、天板部材が抜脱できるので、色、柄、質感等の異なる天板部材を用意しておけば、より細かく目的や、好み等に応じた天板態様に手軽に変更できる。なお、連結金具３４で隣接する天板部材を連結すると、天板部材同士が不意に離隔するのを防止できる。
【００２７】
次に、図９ないし図１１を参照しつつ本考案のテーブルの第２の実施形態について説明するが、同一部材には同一符号を付し、その詳細な説明を省略する。本実施形態のテーブルは、第１実施形態と略同じ構成であるが、支持基体１６ａの構成が異なっている。支持基体１６ａには、天板部材のスライド移動を阻害しないような段下がり位置で他の天板部材１８ｃを水平状に係止する係止部４２が設けられている。支持基体１６は、図９、図１１に示すように、第１実施形態同様に、レール部材１４が両端側に配置されつつ連結部材２４で連結され、略平面視矩形状の枠体に設けられている。本実施形態では、支持基体１６ａの枠内側に係止部４２が設けられており、係止部４２は、レール部材１４と直交方向に架設された３本の係止杆４４を有している。係止杆４４は、２本のレール部材１４の内側の近接位置に、ビス等の固定部材４６を介してレール部材１４に沿って固定された横長支持板４８を介して支持されている。係止杆４４は、図１０に示すように、レール部材１４の上端側よりも下方にずれた位置に設けられており、具体的には、該係止杆４４に他の天板部材１８ｃを係止させた際に、該他の天板部材１８ｃの上面が、レール部材１４に係合させて天板２０を構成する天板部材１８ａ、１８ｂの下面よりも隙間を空けて下方に配置されるような段下がり位置に設定されている。
【００２８】
天板部材１８の構成は、第１実施形態と略同じ構成である。本実施形態において、他の天板部材１８ｃは、支持基体１６の内部間隙内に配置されるように、そのスライド方向長さは大きくとも係止杆の長さ（レール部材間の間隙）よりも短く設定され、レール部材間に９０度水平回転させた状態で係止部４２に係止されるようになっている。本実施形態では、例えば、２個及び３個の天板部材の組み合わせ態様であり、２個の天板部材１８ａ、１８ｂで天板２０を構成する際には、他の天板部材１８ｃを係止部４２の係止杆４４上に係止させて収納状態としておく。そして、例えば、人数が多い場合等など目的に応じて、天板部材１８ａ、１８ｂをレール部材１４に沿って移動させて抜脱し、他の天板部材１８ｃを係止部から取り出して、天板部材１８ａ，１８ｂとの間に配置させてレール部材に係合させることにより、第１実施形態同様に、長い天板２０ａの構成をとれる（図８参照）。したがって、本実施形態においても上記第１実施形態同様の作用効果を奏するとともに、他の天板部材１８ｃの不使用時には邪魔にならないように収納でき、使用の際にも容易に取出して使用できるので使い勝手がよい。
【００２９】
以上説明した本考案のテーブルは、上記した実施の形態にのみ限定されるものではなく、実用新案登録請求の範囲に記載した考案の本質を逸脱しない範囲の変形も本考案に含まれる。
【図面の簡単な説明】
【００３０】
【図１】本考案の第１の実施形態に係るテーブルの一態様の斜視説明図である。
【図２】図１のテーブルの天板部材をレール部材に沿って移動させた状態の説明図である。
【図３】図１のテーブルの分解斜視図である。
【図４】図１のテーブルの分解平面図である。
【図５】図１のテーブルのスライド方向端部側から見た説明図である。
【図６】図５の一部拡大説明図及びクリップ受部の作用説明図である。
【図７】Ａ−Ａ線断面の天板部材突合せ部分周辺の拡大図である。
【図８】図１のテーブルの他の形態の斜視説明図である。
【図９】本考案の第２の実施形態に係るテーブルの支持基体の平面説明図である。
【図１０】図９に天板部材を配置した状態でのＢ−Ｂ線断面図である。
【図１１】第２の実施形態のテーブルの他の天板部材を収納する際の作用説明図である。
【符号の説明】
【００３１】
１０  テーブル
１２  脚部
１４  レール部材
１５  レール部
１６  支持基体
１８  天板部材
２０  天板
２２  レール受部
２８  クリップ受部
３４  連結金具
４２  係止部
【図１】
0003101417.tif 000003
【図２】
0003101417.tif 000004
【図３】
0003101417.tif 000005
【図４】
0003101417.tif 000006
【図５】
0003101417.tif 000007
【図６】
0003101417.tif 000008
【図７】
0003101417.tif 000009
【図８】
0003101417.tif 000010
【図９】
0003101417.tif 000011
【図１０】
0003101417.tif 000012
【図１１】
0003101417.tif 000013